(57)【要約】無線通信環境において送信機の性能を監視することを促進するシステムおよび方法が記述されている。信号解析器を使用して送信機の出力をサンプリングすることができ、このサンプリングされた信号をプロセッサへ伝搬させることができる。プロセッサは、サブキャリアに対する周波数領域チャネル推定を生成することができる。送信された変調シンボルが未知である場合には、プロセッサは変調シンボルを決定し、この決定された変調シンボルを使用してチャネル推定を計算することができる。チャネル推定の平均を取り、これを使用して、送信機の性能を評価するための様々なメトリックを生成することができる。【選択図】      図７
2009510926.tif 000002
【特許請求の範囲】
【請求項１】
無線通信環境のための送信機の性能を評価する方法であって、
送信機信号の複数のサブキャリアのそれぞれに対する周波数領域チャネル推定を生成するステップと、
前記複数のサブキャリアのそれぞれに対する平均周波数領域チャネル推定を決定するステップと、
前記複数のサブキャリアのそれぞれに対する前記平均周波数領域チャネル推定に少なくとも部分的に基づいて送信機の性能を示す少なくとも１つのメトリックを生成するステップと、
を備える方法。
【請求項２】
送信機からアナログ信号をサンプリングして、前記送信機信号を生成するステップ、
をさらに備える、請求項１に記載の方法。
【請求項３】
電力増幅後に前記送信機の前記アナログ信号をサンプリングすることによって生じる電力増幅の非直線性に対して、前記送信機信号を補正するステップ、
をさらに備える、請求項２に記載の方法。
【請求項４】
前記複数のサブキャリアのそれぞれに対する変調シンボルを決定するステップをさらに備える方法であって、前記変調シンボルは、前記周波数領域チャネル推定と前記少なくとも１つのメトリックとを生成するのに利用される、
請求項１に記載の方法。
【請求項５】
前記複数のサブキャリアのそれぞれに対する変調シンボルを決定するステップは、
前記複数のサブキャリアの１つに対する前記送信機信号に対応する複素平面内の点と、少なくとも１つの可能な変調シンボルに対する可能な変調シンボルに対応する前記複素平面内の点との間の距離を決定するステップと、
前記信号点に最も近い前記変調シンボル点に対応する前記可能な変調シンボルを選択するステップであって、前記複数のサブキャリアの前記１つに対する前記変調シンボルは、前記選択された変調シンボルである、ステップと、
をさらに備える、請求項４に記載の方法。
【請求項６】
前記複数のサブキャリアのそれぞれに対する変調シンボルを決定するステップは、
複素平面を複数の領域に分割するステップであって、それぞれの領域は可能な変調シンボルに対応する、ステップと、
前記複数のサブキャリアの１つに対する前記送信機信号を表す点が位置している領域を選択するステップであって、前記複数のサブキャリアの前記１つに対する前記変調シンボルは、前記選択された領域に対応する前記可能な変調シンボルである、ステップと、
をさらに備える、請求項４に記載の方法。
【請求項７】
一致した変調タイプを有する前記複数のサブキャリアのサブセットに対する多数決に基づいて変調タイプを決定するステップと、
前記サブキャリアの前記変調シンボルが大多数の変調タイプと一致していない場合に、前記複数のサブキャリアの前記サブセットのそれぞれのサブキャリアに対する前記変調シンボルを再評価するステップと、
をさらに備える、請求項４に記載の方法。
【請求項８】
前記複数のサブキャリアのそれぞれに対する粗い周波数領域チャネル推定を生成するステップ、
をさらに備える、請求項４に記載の方法。
【請求項９】
前記複数のサブキャリアのそれぞれに対する粗いチャネル推定を生成するステップは、
前記複数のサブキャリアのそれぞれのパイロットサブキャリアに対する粗い周波数領域チャネル推定を生成するステップと、
前記パイロットサブキャリア間に位置している前記複数のサブキャリアのそれぞれに対して粗い周波数領域チャネル推定を補間するステップと、
前記パイロットサブキャリア間に位置していない前記複数のサブキャリアのそれぞれに対して粗い周波数領域チャネル推定を外挿するステップと、
をさらに備える、請求項８に記載の方法。
【請求項１０】
前記平均周波数領域チャネル推定は、前記複数のサブキャリアに対する前記粗い周波数領域チャネル推定に少なくとも部分的に基づく、請求項８に記載の方法。
【請求項１１】
少なくとも１つのメトリックを用いてユーザに提示するグラフィックユーザインターフェース（ＧＵＩ）を生成するステップ、
をさらに備える、請求項１に記載の方法。
【請求項１２】
前記少なくとも１つのメトリックの値が値の所定の範囲外である場合に、アラートを生成するステップ、
をさらに備える、請求項１に記載の方法。
【請求項１３】
前記周波数領域チャネル推定に位相補正を実行するステップ、
をさらに備える、請求項１に記載の方法。
【請求項１４】
位相補正を実行するステップは、
位相変化の傾きを使用して１次位相補正を実行するステップと、
ＬＳアルゴリズムで２次位相補正を実行するステップと、
をさらに備える、請求項１３に記載の方法。
【請求項１５】
位相補正を実行するステップは、
前記送信機信号をセグメントのセットに分けるステップであって、それぞれのセグメントは少なくとも１つのシンボルを含んでいる、ステップと、
それぞれのセグメントに対して位相補正を実行するステップと、
をさらに備える、請求項１３に記載の方法。
【請求項１６】
前記少なくとも１つのメトリックは、変調誤差比（ＭＥＲ）、雑音分散、チャネル周波数応答、およびグループ遅延のうちの少なくとも１つを含む、請求項１に記載の方法。
【請求項１７】
前記送信機信号は、フォワードリンクオンリー（ＦＬＯ）信号である、請求項１に記載の方法。
【請求項１８】
前記送信機信号は、デジタルマルチメディア放送（ＤＭＢ）、デジタルビデオ放送（ＤＶＢ）、ＤＶＢ−Ｈ、ＤＶＢ−Ｔ、ＤＶＢ−Ｓ、ＤＶＢ−Ｓ２信号のうちの少なくとも１つである、請求項１に記載の方法。
【請求項１９】
無線通信環境における送信機の性能を評価するのを促進する装置であって、
送信機からのＲＦ信号をサンプリングする信号解析器と、
送信機信号のスーパーフレーム内の全シンボルの複数のサブキャリアのそれぞれに対する周波数領域チャネル推定を計算し、前記複数のサブキャリアのそれぞれに対する前記周波数領域チャネル推定の平均を計算し、前記平均周波数領域チャネル推定に少なくとも部分的に基づいて少なくとも１つの送信機メトリックを生成するプロセッサと、
前記シンボルに関連した情報を格納する、前記プロセッサに連結したメモリと、
を備える、装置。
【請求項２０】
前記プロセッサは、前記複数のサブキャリアのそれぞれに対する変調シンボルを決定し、前記変調シンボルは、前記周波数領域チャネル推定と前記少なくとも１つのメトリックとを生成するのに利用される、請求項１９に記載の装置。
【請求項２１】
前記プロセッサは、一致した変調タイプを有する前記複数のサブキャリアのサブセットに対する多数決に基づいて変調タイプを決定し、前記サブキャリアの変調シンボルが前記変調タイプと一致していない場合に、前記複数のサブキャリアの前記サブセット内のそれぞれのサブキャリアに対する前記変調シンボルを再評価する、請求項２０に記載の装置。
【請求項２２】
前記プロセッサは、前記複数のサブキャリアの１つに対する前記送信機信号に対応する配置図内の点と、少なくとも１つの可能な変調シンボルに対する可能な変調シンボルに対応する前記配置図内の点との間の差を決定し、前記信号配置点に最も近い前記変調シンボル配置点の前記可能な変調シンボルを選択し、前記複数のサブキャリアの前記１つに対する前記変調シンボルは、前記選択された変調シンボルである、請求項２０に記載の装置。
【請求項２３】
前記メモリは、配置図の複数の領域を格納し、それぞれの領域は可能な変調シンボルに対応し、前記プロセッサは、前記複数のサブキャリアのそれぞれに対する前記送信機信号に対応する配置点が位置している領域を選択し、前記複数のサブキャリアの前記１つに対する前記変調シンボルは、前記選択された領域に対応する前記可能な変調シンボルである、請求項２０に記載の装置。
【請求項２４】
前記プロセッサは、前記複数のサブキャリアのそれぞれのパイロットサブキャリアに対する粗いチャネル推定を生成し、直線補間を実行して、前記パイロットサブキャリア間に位置している前記複数のサブキャリアのそれぞれに対する前記粗いチャネル推定を生成し、直線外挿を実行して、前記パイロットサブキャリア間に位置していない前記複数のサブキャリアのそれぞれに対する前記粗いチャネル推定を生成する、請求項１９に記載の装置。
【請求項２５】
前記少なくとも１つのメトリックを見るためのグラフィックユーザインターフェース（ＧＵＩ）をユーザに提供するディスプレイ構成要素をさらに備える、請求項１９に記載の装置。
【請求項２６】
前記プロセッサは、前記送信機信号を、少なくとも１つのシンボルを含んだ少なくとも１つのセグメントに分割し、それぞれのセグメントに対して位相補正を実行する、請求項１９に記載の装置。
【請求項２７】
前記少なくとも１つのメトリックは、変調誤差比（ＭＥＲ）、雑音分散、チャネル周波数応答、およびグループ遅延のうちの少なくとも１つを含む、請求項１９に記載の装置。
【請求項２８】
送信機信号のデータのユニット内の全シンボルの複数のサブキャリアのそれぞれに対する周波数領域チャネル推定を生成する手段と、
前記複数のサブキャリアのそれぞれに対する平均周波数領域チャネル推定を決定する手段と、
前記複数のサブキャリアのそれぞれに対する前記平均周波数領域チャネル推定に少なくとも部分的に基づいて送信機の性能を示す少なくとも１つのメトリックを生成する手段と、
を備える、無線通信装置。
【請求項２９】
前記複数のサブキャリアのそれぞれに対する変調シンボルを決定する手段をさらに備える装置であって、前記変調シンボルは、前記周波数領域チャネル推定と前記少なくとも１つのメトリックとを生成するのに利用される、
請求項２８に記載の装置。
【請求項３０】
一致した変調タイプを有する前記複数のサブキャリアのサブセットに対する多数決に基づいて変調タイプを決定する手段と、
前記サブキャリアの前記変調シンボルが前記変調タイプと一致していない場合に、前記複数のサブキャリアのサブセット内のそれぞれのサブキャリアに対する前記変調シンボルを再評価する手段と、
をさらに備える、請求項２９に記載の装置。
【請求項３１】
変調シンボルを決定する手段は、
前記複数のサブキャリアの１つに対する前記送信機信号に対応する複素平面内の点と、少なくとも１つの可能な変調シンボルに対する可能な変調シンボルに対応する前記複素平面内の点との間の距離を決定する手段と、
前記信号点に最も近い前記変調シンボル点に対応する前記可能な変調シンボルを選択する手段であって、前記複数のサブキャリアの前記１つに対する前記変調シンボルは、前記選択された変調シンボルである、手段と、
をさらに備える、請求項２９に記載の装置。
【請求項３２】
変調シンボルを決定する手段は、
複素平面を複数の領域に分割する手段であって、それぞれの領域は可能な変調シンボルに対応する、手段と、
前記複数のサブキャリアの１つに対する送信機信号に対応する点が位置している領域を選択する手段であって、前記複数のサブキャリアの前記１つに対する前記変調シンボルは、前記選択された領域に対応する前記可能な変調シンボルである、手段と、
をさらに備える請求項２９に記載の装置。
【請求項３３】
前記複数のサブキャリアのそれぞれのパイロットサブキャリアに対する粗いチャネル推定を生成する手段と、
直線補間を実行して、前記パイロットサブキャリア間に位置している前記複数のサブキャリアのそれぞれに対する前記粗いチャネル推定を生成し、直線外挿を実行して、前記パイロットサブキャリア間に位置していない前記複数のサブキャリアのそれぞれに対する前記粗いチャネル推定を生成する手段と、
をさらに備える、請求項２８に記載の装置。
【請求項３４】
前記送信機信号をセグメントのセットに分ける手段であって、それぞれのセグメントは少なくとも１つのシンボルを含んでいる、手段と、
それぞれのセグメントに対して位相補正を実行する手段と、
をさらに備える、請求項２８に記載の装置。
【請求項３５】
コンピュータ実行可能命令を格納しているコンピュータ読み出し可能媒体であって、前記命令は、
送信機信号のデータのユニット内の全シンボルの複数のサブキャリアのそれぞれに対する周波数領域チャネル推定を生成する命令と、
前記複数のサブキャリアのそれぞれに対する平均周波数領域チャネル推定を決定する命令と、
前記複数のサブキャリアのそれぞれに対する前記平均周波数領域チャネル推定に少なくとも部分的に基づいて送信機の性能を示す少なくとも１つのメトリックを生成する命令とである、コンピュータ読み出し可能媒体。
【請求項３６】
前記複数のサブキャリアのそれぞれに対する変調シンボルを決定する命令をさらに備えるコンピュータ読み出し可能媒体であって、前記変調シンボルは、前記周波数領域チャネル推定と前記少なくとも１つのメトリックとを生成するのに利用される、
請求項３５に記載のコンピュータ読み出し可能媒体。
【請求項３７】
一致した変調タイプを有する前記複数のサブキャリアの前記サブセットに対する多数決に基づいて変調タイプを決定する命令と、
前記サブキャリアの前記変調シンボルが前記変調タイプと一致していない場合に、前記複数のサブキャリアのサブセット内のそれぞれのサブキャリアに対する前記変調シンボルを再評価する命令と、
をさらに備える、請求項３６に記載のコンピュータ読み出し可能媒体。
【請求項３８】
前記複数のサブキャリアの１つに対する送信機信号に対応する複素平面内の点と、少なくとも１つの可能な変調シンボルに対する可能な変調シンボルに対応する複素平面内の点との間の距離を決定する命令と、
前記信号点に最も近い前記変調シンボル点に対応する前記可能な変調シンボルを選択する命令であって、前記複数のサブキャリアの前記１つに対する前記変調シンボルは、前記選択された変調シンボルである、命令と、
をさらに備える、請求項３６に記載のコンピュータ読み出し可能媒体。
【請求項３９】
複素平面を複数の領域に分割する命令であって、それぞれの領域は可能な変調シンボルに対応する、命令と、
前記複数のサブキャリアの１つに対する前記送信機信号に対応する点が位置している領域を選択する命令であって、前記複数のサブキャリアの前記１つに対する前記変調シンボルは、前記選択された領域に対応する前記可能な変調シンボルである、命令と、
をさらに備える、請求項３６に記載のコンピュータ読み出し可能媒体。
【請求項４０】
前記複数のサブキャリアのそれぞれのパイロットサブキャリアに対する粗い周波数領域チャネル推定を生成する命令と、
前記パイロットサブキャリア間に位置している前記複数のサブキャリアのそれぞれに対して粗い周波数領域チャネル推定を補間する命令と、
前記パイロットサブキャリア間に位置していない前記複数のサブキャリアのそれぞれに対して粗い周波数領域チャネル推定を外挿する命令と、
をさらに備える、請求項３５に記載のコンピュータ読み出し可能媒体。
【請求項４１】
ユーザに前記少なくとも１つのメトリックを提示するグラフィックユーザインターフェース（ＧＵＩ）を生成する命令、
をさらに備える、請求項３５に記載のコンピュータ読み出し可能媒体。
【請求項４２】
前記送信機信号をセグメントのセットに分ける命令であって、それぞれのセグメントは少なくとも１つのシンボルを含んでいる、命令と、
それぞれのセグメントに対して位相補正を実行する命令と、
をさらに備える請求項３５に記載のコンピュータ読み出し可能媒体。
【請求項４３】
前記少なくとも１つのメトリックは、変調誤差比（ＭＥＲ）、雑音分散、チャネル周波数応答、およびグループ遅延のうちの少なくとも１つを含む、請求項３５に記載のコンピュータ読み出し可能媒体。
【請求項４４】
無線通信環境における送信機の性能を評価する命令を実行するプロセッサであって、前記命令は、
送信機信号のデータのユニット内の全シンボルに対する複数のサブキャリアのそれぞれに対する周波数領域チャネル推定を生成する命令と、
前記複数のサブキャリアのそれぞれに対する平均周波数領域チャネル推定を決定する命令と、
前記複数のサブキャリアのそれぞれに対する前記平均周波数領域チャネル推定に少なくとも部分的に基づいて送信機の性能を示す少なくとも１つのメトリックを生成する命令と、
を備える、プロセッサ。
【請求項４５】
前記命令は、
前記複数のサブキャリアのそれぞれに対する変調シンボルを決定する命令をさらに備え、前記変調シンボルは、前記周波数領域チャネル推定と前記少なくとも１つのメトリックとを生成するのに利用される、
請求項４４に記載のプロセッサ。
【請求項４６】
前記命令は、
一致した変調タイプを有する複数のサブキャリアのサブセットに対する多数決に基づいて変調タイプを決定する命令と、
前記サブキャリアの前記変調シンボルが前記変調タイプと一致していない場合に、前記複数のサブキャリアの前記サブセット内のそれぞれサブキャリアに対する前記変調シンボルを再評価する命令と、
をさらに備える、請求項４５に記載のプロセッサ。
【請求項４７】
前記命令は、
前記複数のサブキャリアの１つに対する前記送信機信号に対応する複素平面内の点と、少なくとも１つの可能な変調シンボルに対する可能な変調シンボルに対応する前記複素平面内の点との間の距離を決定する命令と、
前記信号点に最も近い前記変調シンボル点に対応する前記可能な変調シンボルを選択する命令であって、前記複数のサブキャリアの前記１つに対する前記変調シンボルは、前記選択された変調シンボルである、命令と、
をさらに備える、請求項４５に記載のプロセッサ。
【請求項４８】
前記命令は、
複素平面を複数の領域に分割する命令であって、それぞれの領域は可能な変調シンボルに対応する、命令と、
前記複数のサブキャリアの１つに対する前記送信機信号に対応する複素平面内の点が位置している領域を選択する命令であって、前記複数のサブキャリアの前記１つに対する前記変調シンボルは、前記選択された領域に対応する前記可能な変調シンボルである、命令と、
をさらに備える、請求項４５に記載のプロセッサ。
【請求項４９】
前記命令は、
前記複数のサブキャリアのそれぞれのパイロットサブキャリアに対する粗い周波数領域チャネル推定を生成する命令と、
前記パイロットサブキャリア間に位置している前記複数のサブキャリアのそれぞれに対して粗い周波数領域チャネル推定を補間する命令と、
前記パイロットサブキャリア間に位置していない前記複数のサブキャリアのそれぞれに対して粗い周波数領域チャネル推定を外挿する命令と、
をさらに備える、請求項４４に記載のプロセッサ。
【請求項５０】
前記命令は、
ユーザに前記少なくとも１つのメトリックを提示するグラフィックユーザインターフェース（ＧＵＩ）を生成する命令、
をさらに備える、請求項４４に記載のプロセッサ。
【請求項５１】
前記命令は、
前記送信機信号をセグメントのセットに分ける命令であって、それぞれのセグメントは少なくとも１つのシンボルを含んでいる、命令と、
それぞれのセグメントに対して位相補正を実行する命令と、
をさらに備える、請求項４４に記載のプロセッサ。
【請求項５２】
前記少なくとも１つのメトリックは、変調誤差比（ＭＥＲ）、雑音分散、チャネル周波数応答、およびグループ遅延のうちの少なくとも１つを含む、請求項４４に記載のプロセッサ。
【発明の詳細な説明】
【技術分野】
【０００１】
関連出願の相互参照
本出願は、２００５年９月２７日出願の米国仮出願番号６０／７２１，３７２号、「メディアフロー送信機認定の方法（Ａ  ＭＥＴＨＯＤ  ＦＯＲ  ＭＥＤＩＡＦＬＯ  ＴＲＡＮＳＭＩＴＴＥＲ  ＱＵＡＬＩＦＩＣＡＴＩＯＮ）」の恩恵に対して権利を主張し、上記出願の全体は参照によって本明細書に組み込まれる。
【０００２】
以下の記述は、全体的に無線通信に関し、特に送信機の性能を評価することに関する。
【背景技術】
【０００３】
無線ネットワーキングシステムは、世界中の大多数の人々が通信を行うための一般的な手段となった。無線通信デバイスは、消費者のニーズを満たし、携帯性および便宜性を向上するために、より小型でパワフルになった。消費者は、携帯電話、パーソナルデジタルアシスタント（ＰＤＡ）、などのような無線通信デバイスに依存し、信頼性の高いサービス、および拡大されたカバレージエリアを要求するようになった。
【０００４】
（例えば、周波数分割技術、時分割技術、符号分割技術を採用した）典型的な無線通信ネットワークは、カバレージエリアを提供する１つ以上の基地局と、カバレージエリア内においてデータを送受信できる１つ以上の移動（例えば、無線）ユーザデバイスとを含む。典型的な基地局は、放送、マルチキャスト、および／またはユニキャストサービスの複数のデータストリームを同時に送信することができ、この場合、データストリームは、ユーザデバイスが関心のあるものを個々に受信することができるデータのストリームである。基地局のカバレージエリア内のユーザデバイスは、複合ストリームによって運ばれるデータストリームを１つ、２つ以上、または全て受信することに関心をもつことができる。同様に、ユーザデバイスは、基地局または別のユーザデバイスにデータを送信することができる。
【０００５】
フォワードリンクオンリー（ＦＬＯ）技術は、無線通信サービスプロバイダの業界グループによって展開され、システム設計の最新の進歩を利用して、最高品質の性能を達成した。ＦＬＯ技術は、モバイルマルチメディア環境に向けたものであり、移動ユーザデバイスで使用するのに適している。ＦＬＯ技術は、リアルタイムでのコンテンツのストリーミングおよび他のデータサービスの両者の高品質受信を達成するように設計されている。ＦＬＯ技術は、電力消費の面で妥協することなくロバストな移動性能と大容量とを提供することができる。さらに、この技術は、配備する必要のある基地局送信機の数を減らすことで、マルチメディアコンテンツを配信するネットワークコストを低減する。さらに、ＦＬＯ技術ベースのマルチメディアのマルチキャスティングは、無線オペレータのセルラーネットワークデータおよび音声サービスへの補助であり、コンテンツを同じ移動デバイスに配信する。
【０００６】
基地局送信機の性能は、無線システムの全体的な性能にとって非常に重要である。具体的には、より少ない送信機を利用し得るＦＬＯ技術を利用する無線システムでは、各送信機の性能が重大である。そのため、送信機の性能を設置の前と後に注意深く監視する必要がある。
【発明の開示】
【発明の概要】
【０００７】
以下は、１つ以上の実施形態の簡略化した要約を、こうした実施形態の基礎理解を提供する目的で提示している。この要約は、全ての考えられる実施形態の広範囲の概観ではなく、全ての実施形態の重要または不可欠な要素を識別することも、任意または全ての実施形態の範囲を叙述することも意図していない。この唯一の目的は、１つ以上の実施形態のいくつかの概念を簡略化した形式で、後に提示されるより詳細な記述の前置きとして提示することである。
【０００８】
１つ以上の実施形態およびその対応する開示によれば、様々な態様が、無線通信環境における送信機の性能を監視することに関連して記述されている。信号解析器は、送信機の出力をサンプリングするために使用され、このサンプリングされた信号は、プロセッサへ伝搬することができる。プロセッサは、サブキャリアに対する周波数領域チャネル推定を生成することができる。送信された変調シンボルが未知である場合には、プロセッサは変調シンボルを決定し、決定された変調シンボルを使用して、チャネル推定を計算することができる。それぞれのサブキャリアに対するチャネル推定の平均を取って正確な値を取得し、これを使用して、送信機の性能を評価するための様々なメトリックを生成することができる。
【０００９】
関連する態様によれば、無線通信環境のための送信機の性能を評価する方法は、送信機信号のデータユニット内の全直交周波数分割多重（ＯＦＤＭ）シンボルのそれぞれのサブキャリアに対する周波数領域チャネル推定を生成するステップと、サブキャリアのそれぞれに対する平均周波数領域チャネル推定を決定するステップと、サブキャリアのそれぞれに対する平均周波数領域チャネル推定に基づいて送信機の性能を示す少なくとも１つのメトリックを生成するステップとを備えることができる。この方法はさらに、サブキャリアのそれぞれに対する変調シンボルを決定するステップを備えることができ、この場合、変調シンボルは周波数領域チャネル推定と少なくとも１つのメトリックとを生成するのに利用される。さらに、この方法は、複素平面を複数の領域に分割するステップであって、それぞれの領域は可能な変調シンボルに対応するステップと、送信機信号を表す点が位置している領域を選択する、ステップとを備え、この場合、サブキャリアに対する変調シンボルは、選択された領域に対応する可能な変調シンボルである。さらに、この方法は、多数決を使用して、一致した変調タイプを有するサブキャリアのサブセットに対する変調タイプを決定するステップと、変調シンボルが大多数の変調タイプと一致していない場合に、サブセット内のそれぞれのサブキャリアに対する変調シンボルを再評価するステップとを備えることができる。この方法は、複数のサブキャリアのそれぞれに対する粗い周波数領域チャネル推定を生成するステップを備えることができる。この方法はまた、送信機信号をセグメントのセットに分けるステップであって、それぞれのセグメントは少なくとも１つのシンボルを含んでいるステップと、それぞれのセグメントに対して位相補正を実行するステップとを備えることができる。
【００１０】
さらに別の態様によれば、無線通信環境において送信機の性能を評価する装置は、信号解析器、プロセッサ、およびメモリを備えることができる。信号解析器は、送信機からのＲＦ信号をサンプリングする。プロセッサは、送信機信号のスーパーフレーム内の全シンボルのそれぞれのサブキャリアに対する周波数領域チャネル推定を計算し、サブキャリアのそれぞれに対する周波数領域チャネル推定の平均を計算し、平均周波数領域チャネル推定に少なくとも部分的に基づいて少なくとも１つの送信機メトリックを生成する。メモリはプロセッサに連結され、シンボルに関連した情報を格納する。さらに、プロセッサは、サブキャリアのそれぞれに対する変調シンボルを決定することができ、この場合、変調シンボルは、周波数領域チャネル推定と少なくとも１つのメトリックとを生成するのに利用することができる。プロセッサはまた、一致した変調タイプを有するサブキャリアのサブセットに対する多数決に基づいて変調タイプを決定し、サブキャリアの変調シンボルがサブセットの変調タイプと一致していない場合に、サブセット内のそれぞれのサブキャリアに対する変調シンボルを再評価することができる。さらに、メモリは配置（ｃｏｎｓｔｅｌｌａｔｉｏｎ）図の複数の領域を格納することができ、それぞれの領域は可能な変調シンボルに対応し、プロセッサは、それぞれのサブキャリアに対する送信機信号に対応する配置点が位置している領域を選択することができ、この場合、サブキャリアに対する変調シンボルは、選択された領域に対応する可能な変調シンボルである。プロセッサはまた、それぞれのパイロットサブキャリアに対する粗いチャネル推定を生成し、直線補間を実行して、パイロットサブキャリア間に位置しているそれぞれのサブキャリアに対する粗いチャネル推定を生成し、直線外挿を実行して、パイロットサブキャリア間に位置していないサブキャリアに対する粗いチャネル推定を生成することができる。さらに、プロセッサは、送信機信号をセグメントに分割し、それぞれのセグメントは少なくとも１つのシンボルを含み、それぞれのセグメントに対して位相補正を実行する。
【００１１】
別の態様によれば、無線通信環境のための送信機の性能を評価する装置は、送信機信号のデータユニット内の全ＯＦＤＭシンボルのそれぞれのサブキャリアに対する周波数領域チャネル推定を生成する手段と、サブキャリアのそれぞれに対する平均周波数領域チャネル推定を決定する手段と、サブキャリアのそれぞれに対する平均周波数領域チャネル推定に少なくとも部分的に基づいて送信機の性能を示す少なくとも１つのメトリックを生成する手段とを備えている。さらに、この装置は、サブキャリアのそれぞれに対する変調シンボルを決定する手段を備えることができ、変調シンボルは周波数領域チャネル推定と少なくとも１つのメトリックとを生成するのに利用される。この装置はさらに、一致した変調タイプを有するサブキャリアのサブセットに対する多数決に基づいて変調タイプを決定する手段と、サブキャリアの変調シンボルが変調タイプと一致していない場合に、サブキャリアのサブセット内のそれぞれのサブキャリアに対する変調シンボルを再評価する手段とを備えることができる。さらに、変調シンボルを決定する手段は、サブキャリアの１つに対する送信機信号に対応する複素平面内の点と、少なくとも１つの可能な変調シンボルに対する可能な変調シンボルに対応する複素平面内の点との間の距離を決定する手段と、この信号点に最も近い変調シンボルに対応する可能な変調シンボルを選択する手段とを備え、この場合、サブキャリアに対する変調シンボルは選択された可能な変調シンボルである。この装置はさらに、それぞれのパイロットサブキャリアに対する粗いチャネル推定を生成する手段と、直線補間を実行して、パイロットサブキャリア間に位置しているサブキャリアのそれぞれに対する粗いチャネル推定を生成し、直線外挿を実行して、パイロットサブキャリア間に位置していないそれぞれのサブキャリアに対する粗いチャネル推定を生成する手段とを備えることができる。この装置はさらに、送信機信号をセグメントのセットに分ける手段であって、それぞれのセグメントは少なくとも１つのシンボルを含んでいる手段と、それぞれのセグメントに対して位相補正を実行する手段とを備えることができる。
【００１２】
また別の態様は、コンピュータ実行可能命令を格納しているコンピュータ読み出し可能媒体に関し、この命令は、送信機信号のデータユニット内の全シンボルの複数のサブキャリアのそれぞれに対する周波数領域チャネル推定を生成する命令と、複数のサブキャリアのそれぞれに対する平均周波数領域チャネル推定を決定する命令と、複数のサブキャリアのそれぞれに対する平均周波数領域チャネル推定に少なくとも部分的に基づいて送信機の性能を示す少なくとも１つのメトリックを生成する命令とである。命令はさらに、複数のサブキャリアのそれぞれに対する変調シンボルを決定する命令を備えることができ、この場合、変調シンボルは、周波数領域チャネル推定と少なくとも１つのメトリックとを生成するのに利用される。コンピュータ読み出し可能媒体はさらに、一致した変調タイプを有するサブキャリアのサブセットに対する多数決に基づいて変調タイプを決定する命令と、サブキャリアの変調シンボルが変調タイプと一致していない場合に、サブセット内のそれぞれのサブキャリアに対する変調シンボルを再評価する命令とを備えている。さらに、コンピュータ読み出し可能媒体は、複素平面を複数の領域に分割する命令であって、それぞれの領域は可能な変調シンボルに対応する命令と、サブキャリアに対する送信機信号に対応する点が位置している領域を選択する命令であって、サブキャリアに対する変調シンボルは選択された領域に対応する可能な変調シンボルである命令とを備えることができる。さらに、コンピュータ読み出し可能媒体は、それぞれのパイロットサブキャリアに対する粗い周波数領域チャネル推定を生成する命令と、パイロットサブキャリア間に位置しているサブキャリアのそれぞれに対して粗い周波数領域チャネル推定を補間する命令と、パイロットサブキャリア間に位置していないサブキャリアに対して粗い周波数領域チャネル推定を外挿する命令とを備えることができる。コンピュータ読み出し可能媒体はさらに、送信機信号をセグメントのセットに分ける命令であって、それぞれのセグメントは少なくとも１つのシンボルを含んでいる命令と、それぞれのセグメントに対して位相補正を実行する命令とをさらに備えることができる。
【００１３】
さらに別の態様は、無線通信環境に対する送信機の性能を評価する命令を実行するプロセッサに関し、命令は、送信機信号のユニットデータ内の全シンボルの複数のサブキャリアのそれぞれに対する周波数領域チャネル推定を生成する命令と、複数のサブキャリアのそれぞれに対する平均周波数領域チャネル推定を決定する命令と、複数のサブキャリアのそれぞれの平均周波数領域チャネル推定に少なくとも部分的に基づいて送信機の性能を示す少なくとも１つのメトリックを生成する命令とを備えることができる。命令はまた、複数のサブキャリアのそれぞれに対する変調シンボルを決定する命令を備え、この変調シンボルは、周波数領域チャネル推定と少なくとも１つのメトリックとを生成するのに利用される。さらに、命令は、一致した変調タイプを有するサブキャリアのサブセットに対する多数決に基づいて変調タイプを決定する命令と、サブキャリアの変調シンボルが変調タイプと一致していない場合は、サブセット内のそれぞれのサブキャリアに対する変調シンボルを再評価する命令とを備えることができる。命令はさらに、複数のサブキャリアの１つに対する送信機信号に対応する複素平面内の点と、少なくとも１つの可能な変調シンボルに対する可能な変調シンボルに対応する複素平面内の点と間の距離を決定する命令と、信号点に最も近い変調シンボル点に対応する可能な変調シンボルを選択する命令とを備えることができ、この場合、サブキャリアに対する変調シンボルは選択された変調シンボルである。命令はさらに、複数のサブキャリアのうちのそれぞれのパイロットサブキャリアに対する粗い周波数領域チャネル推定を生成する命令と、パイロットサブキャリア間に位置している複数のサブキャリアのそれぞれに対して粗い周波数領域チャネル推定を補間する命令と、パイロットサブキャリア間に位置していない複数のサブキャリアのそれぞれに対して粗い周波数領域チャネル推定を外挿する命令とを備えることができる。さらに、これらの命令は、セグメントのセットに分ける命令であって、それぞれのセグメントは送信機信号を少なくとも１つのシンボルを含んでいる命令と、それぞれのセグメントに位相補正を実行する命令とを備えることができる。
【００１４】
上述の目的および関連する目的を達成するために、１つ以上の実施形態は、後述で十分に記述され、特許請求の範囲にて具体的に指摘される特徴を備えている。以降の記述と添付の図面とは、１つ以上の実施形態の特定の例示的な態様を詳細に示している。しかしながら、これらの態様は、様々な実施形態の原理を採用できる様々なやり方のうちの僅かのみを表し、記述された実施形態は全てのこのような態様およびそれらと同等のものを含むことを意図されている。
【詳細な説明】
【００１５】
次に、図面を参照しながら様々な実施形態を記述するが、全図面を通じ、同様の要素を参照するために同様の参照符号が用いられている。以下の記述では、説明の目的で、１つ以上の実施形態を完全に理解するために、多数の具体的な詳細が述べられている。しかし、これらの具体的な詳細がなくてもこのような実施形態を実行できることは明らかである。別の例では、１つ以上の実施形態の記述を助けるために、周知の構造およびデバイスをブロック図の形で示している。
【００１６】
この出願で使用されているように、用語「構成要素」、「システム」、などは、ハードウェア、ハードウェアとソフトウェアとの組合せ、ソフトウェア、または実行中のソフトウェアのいずれかといったように、コンピュータ関連エンティティを指すように意図されている。例えば、構成要素は、プロセッサ上で実行されるプロセス、プロセッサ、オブジェクト、実行ファイル、実行のスレッド、プログラム、および／またはコンピュータであってもよいが、これらに限定されない。１つ以上の構成要素は、処理および／または実行のスレッド内に常駐でき、構成要素は１台のコンピュータ上に集中させる、および／または２またはこれ以上のコンピュータ間で分散させることができる。さらに、これらの構成要素は、それらに格納されている様々なデータ構造を有する様々なコンピュータ読み出し可能媒体から実行することができる。構成要素は、ローカルおよび／または遠隔プロセスを介して、例えば、１つ以上のデータパケットを有する信号に従って通信することができる（例えば、１つの構成要素からのデータは、ローカルシステムや分散システム内の別の構成要素と、および／またはインターネットのようなネットワークをわたって別のシステムと信号を介して対話する）。
【００１７】
さらに、本明細書では、ユーザデバイスに関連して様々な実施形態を記述している。ユーザデバイスは、システム、加入者ユニット、加入者局、移動局、移動デバイス、遠隔局、アクセスポイント、基地局、遠隔端末、アクセス端末、ユーザ端末、端末、ユーザエージェント、またはユーザ設備（ＵＥ）とも呼ばれることがある。ユーザデバイスは、携帯電話、コードレス電話、セッション開始プロトコル（ＳＩＰ）電話、無線ローカルループ（ＷＬＬ）ステーション、ＰＤＡ、無線接続機能を有するハンドヘルド式デバイス、または無線モデムに接続された他の処理デバイスであってもよい。
【００１８】
さらに、本明細書に記述されている様々な態様または特徴は、方法、装置、または標準プログラミングおよび／またはエンジニアリング技術を使用した製品として実施されてもよい。本明細書で使用されている「製品」という用語は、任意のコンピュータ読み出し可能デバイス、キャリア、または媒体からアクセス可能なコンピュータプログラムを包括するように意図されている。例えば、コンピュータ読み出し可能媒体は、磁気記憶デバイス（例えば、ハードディスク、フロッピー（登録商標）ディスク、磁気ストリップ．．．）、光ディスク（例えば、コンパクトディスク（ＣＤ）、デジタル多用途ディスク（ＤＶＤ）．．．）、スマートカード、およびフラッシュメモリデバイス（例えば、カード、スティック、キードライブ．．．）を含むことができるが、これらに限定されない。
【００１９】
ＦＬＯ無線システムは、リアルタイムのオーディオおよびビデオ信号、並びに非リアルタイムのサービスを放送するように設計されている。それぞれのＦＬＯ送信は、所与の地理的エリア内で広いカバレージを確保するために、高くて（ｔａｌｌ）、高出力の送信機を利用して実行される。ＦＬＯ信号が所与の市場内の人口の相当な部分に確実に到達するように、市場に複数の送信機を配備するのが一般的である。
【００２０】
典型的には、ＦＬＯ技術はＯＦＤＭを利用する。ＯＦＤＭのような周波数分割ベースの技術は、典型的には、周波数スペクトルを均等な量の帯域幅に分割することによって、周波数スペクトルを異なるチャネルに分ける。例えば、無線携帯電話通信に割り振られた周波数スペクトルまたは帯域は、３０チャネルに分割することができ、各チャネルは、音声の会話を伝達するか、または、デジタルサービスの場合にはデジタルデータを伝達することができる。各チャネルは、１度に１つのみのユーザデバイスまたは端末を割り当てられることができる。ＯＦＤＭは、システム帯域幅全体を複数の直交周波数チャネルに効果的に分割する。ＯＦＤＭシステムは時間および／または周波数分割多重化を使用して、複数の端末に対する複数のデータ伝送間で直交性を達成することができる。例えば、異なる端末を異なるチャネルに割り振り、各端末に対するデータ伝送をこの端末に割り振られたチャネル上で送信することができる。異なる端末に対してばらばらの（ｄｉｓｊｏｉｎｔ）または重なり合っていないチャネルを使用することにより、複数端末間の干渉を回避または低減でき、性能を向上することができる。
【００２１】
基地局送信機の性能は、無線システム、特にＦＬＯ技術を利用した無線システムの全体的な性能にとって非常に重要である。そのため、送信機を試験および評価するシステムおよび／または方法は、正確かつコスト効率がよくなければならない。設置のために送信機を認定するために、送信機を工場でまたは設置前に試験することができる。さらに、送信機の性能の維持を保証するために、送信機を設置後に試験または監視することができる。本明細書に記述されているシステムおよび方法は、無線環境における送信機の性能を評価するために使用でき、この無線環境は、ＦＬＯ、デジタルマルチメディア放送（ＤＭＢ）、デジタルビデオ放送（ＤＶＢ）、ＤＶＢ−Ｈ、ＤＶＢ−Ｔ、ＤＶＢ−Ｓ、ＤＶＢ−Ｓ２信号を放送する無線環境を含むが、これに限定されない。
【００２２】
次に図１を参照すると、本明細書に提示された様々な態様に従った送信機評価システム１００が図示されている。システム１００は、送信機１０２が生成した信号をサンプリングするために使用することができる信号解析器１０４を含むことができる。信号を受信するために受信機ではなく信号解析器１０４を使用することによって、システム１００は、さらなる雑音および歪みの可能性のある源として受信機を排除できる。システム１００はまた、信号解析器１０４によって取り込まれた信号を処理し、送信機１０２の性能を評価するメトリックを生成することが可能なプロセッサ１０６を含むことができる。プロセッサ１０６は、各サブキャリアに対する周波数領域チャネル推定を生成するために使用できるチャネル推定器１０８を含むことができる。プロセッサ１０６はまた、送信機１０２の性能を評価するために、変調誤差比（ＭＥＲ）といったメトリックを生成するメトリック生成器１１０を含むことができる。メトリック生成器１１０によって生成されるメトリックは、チャネル推定器１０８によって生成された周波数領域チャネル推定に基づくことができる。システム１００はまた、送信機の性能の評価に関連するデータ（例えば、シンボルデータやメトリックデータ）のプロセッサ１０６に接続しているメモリ１１２を含むことができる。これに加え、システム１００は、プロセッサによって生成された視覚的フィードバックを介してユーザが送信機の性能を監視できるようにするディスプレイ構成要素１１４を含むことができる。
【００２３】
プロセッサ１０６は、ディスプレイ構成要素１１４に様々なタイプのユーザインターフェースを提供することができる。例えば、プロセッサ１０６はグラフィカルユーザインターフェース（ＧＵＩ）、コマンドラインインターフェース、などを提供することができる。例えば、ＧＵＩを提示し、送信機情報を見るための領域をユーザに提供することができる。これらの領域は、既知のテキストおよび／またはグラフィック領域を含むことができ、ダイアログボックス、スタティックコントロール、ドロップダウンメニュー、リストボックス、ポップアップメニュー、例えば、エディットコントロール、コンボボックス、ラジオボタン、チェックボックス、プッシュボタン、およびグラフィックボックスを含む。さらに、ナビゲーション用の垂直および／または水平スクロールバーや、領域が表示可能になるかどうかを決定するためのツールバーボタンのような表示を助けるユーティリティを採用してもよい。
【００２４】
一例では、コマンドラインインターフェースを採用することができる。例えば、コマンドラインインターフェースは、（例えば、ディスプレイ上のテキストメッセージおよびオーディオトーンによって）送信機の性能が所定の限度外にあるという情報をユーザにテキストメッセージまたはアラートを与えることによって指示することができる。コマンドラインインターフェースは、ＧＵＩおよび／またはアプリケーションプログラムインターフェース（ＡＰＩ）に関連して採用できることが理解されるべきである。これに加え、コマンドラインインターフェースは、グラフィックサポートが限られているハードウェア（例えば、ビデオカード）および／またはディスプレイ（例えば、モノクロ、およびＥＧＡ）、および／または低帯域幅通信チャネルに関連して採用できる。
【００２５】
これに加え、評価システムは、送信機の性能が許容範囲外にある場合に、ユーザに通知するアラートを生成することができる。アラートは、オーディオ、ビジュアル、または、ユーザの注意を引き付けることを意図した任意の他の形式であってもよい。この評価システムは、許容範囲の境界を表す値の所定のセットを含むことができる。あるいは、ユーザは境界を動的に決定することができる。これに加え、この評価システムは、送信機の性能の変化に基づいてアラートを生成することができる。
【００２６】
次に図２を参照すると、本明細書で提示された様々な実施形態に従った無線通信システム２００が示されている。システム２００は、１つ以上のセクタ内に１つ以上の基地局２０２を備えることができ、基地局２０２は、相互間で、および／または１つ以上の移動デバイス２０４に対して、無線通信信号の受信、送信、繰返し、などを行う。基地局は、端末との通信に使用される固定局であってもよく、アクセスポイント、ノードＢ、またはこれ以外の用語を用いて呼ばれることもある。各基地局２０２は、送信機チェーンおよび受信機チェーンを備えることができ、これらの各々は、当業者によって理解されるように、信号の送信および受信に関連した複数の構成要素（例えば、プロセッサ、変調器、マルチプレクサ、復調器、デマルチプレクサ、アンテナ、など）を備えることができる。移動デバイス２０４は、例えば、携帯電話、スマートフォン、ラップトップ、ハンドヘルド式通信デバイス、ハンドヘルド式計算デバイス、衛星ラジオ、全地球測位システム、ＰＤＡ、および／または無線システム２００上で通信を行う任意の他の適切なデバイスであってもよい。これに加え、各移動デバイス２０４は、多入力多出力（ＭＩＭＯ）システムに使用されるような、１つ以上の送信機チェーンおよび受信機チェーンを含むことができる。当業者によって理解されるように、各送信機および受信機チェーンは、信号の送信および受信に関連した複数の構成要素（例えば、プロセッサ、変調器、マルチプレクサ、復調器、デマルチプレクサ、アンテナ、など）を備えることができる。
【００２７】
図３は、無線通信システム３００の図である。システム３００は、送信すべきデータを通信衛星システム３０４から受信できる送信機３０２を含む。衛星システム３０４からの信号は統合された受信機復号器３０６を介して伝搬され、この復号器は衛星復調器３０８と簡易ネットワーク管理プロトコル（ＳＮＭＰ）制御ユニット３１０とを含むことができる。統合された受信機復号器３０６からの信号データは、送信機３０２内の励振器３１２に入力されることができる。これに加え、送信機３０２は、モデム３１６を介してインターネットプロバイダ（ＩＰ）ネットワーク３１４に接続することができる。モデム３１６は、送信機３０２内のＳＮＭＰ制御ユニット３１８に接続することができる。励振器３１２は、パーサおよび単一周波数ネットワーク（ＳＦＮ）バッファ３２０、ボウラーコア（ｂｏｗｌｅｒ  ｃｏｒｅ）３２２、並びにデジタル対アナログ変換器（ＤＡＣ）およびＩ／Ｑ変調器３２４を含むことができる。衛星システム３０４からの信号データをパースして、パーサおよびＳＦＮバッファ３２０に格納することができる。ボウラーコア３２２は信号データを表す複素数を生成し、この信号データをＤＡＣおよびＩ／Ｑ変調器３２４に同相成分（Ｉ）および直交成分（Ｑ）として送る。ＤＡＣおよびＩ／Ｑ変調器３２４は、合成器３２６を利用して信号データを処理し、アナログ、無線周波数（ＲＦ）信号を生成する。データをアナログに変換した後、得られたＲＦ信号データを電力増幅器３２８へ送り、高調波フィルタ３３０に通すことができる。さらに、データはチャネルフィルタ３３２に通された後、アンテナ３３４により送信されることができる。
【００２８】
送信機の性能を評価するために、励振器３１２によって生成されたＲＦ信号データが監視される。送信機のエラーまたは雑音の可能性のある源には、アップサンプリング、デジタル対アナログ変換、およびＲＦ変換が含まれる。ＲＦ信号を電力増幅およびフィルタリングの前あるいは後にサンプリングできるようにするために、信号データを励振器の出力部およびチャネルフィルタの出力部にてサンプリングすることができる。信号を増幅後にサンプリングする場合には、信号は電力増幅の非直線性を補正されるべきである。
【００２９】
次に図４を参照すると、送信機システム励振器３１２に接続された送信機評価システム４００が図示されている。全地球測位システム（ＧＰＳ）受信機４０２からの信号を使用して、送信機励振器３１２と信号解析器１０４とを同期させることができる。ＧＰＳ受信機４０２からの外部１０メガヘルツクロックは、励振器３１２と信号解析器１０４とに供給され、共通のクロック基準として働くことができる。信号解析器１０４によるサンプリングのスタートを励振器３１２によるＲＦ信号データ出力のスーパーフレームの開始と同期させるために、ＧＰＳ４０２は、１パルス／秒（ＰＰＳ）の信号を、励振器３１２へ送信して同期させ、信号解析器１０４へ送信してサンプリングのスタートをトリガさせることができる。信号解析器１０４は、励振器のアナログ出力波形のデジタルサンプルを、送信信号のベースバンドのチップレートと同期するレートで生成することができる。次に、サンプリングされたデータはプロセッサ１０６へ供給される。プロセッサ１０６は、汎用プロセッサまたは送信機データの解析に専用のプロセッサを使用して実装することができる。汎用プロセッサの使用により、送信機評価システム４００のコストを低減することができる。信号解析器１０４は、量子化雑音を回避するために浮動小数点モードにおいて実行されるように構成することができる。
【００３０】
次に図５を参照すると、測定または受信された信号と、送信された信号との間の差を図示した配置図が示されている。配置図の軸は、複素数の実数部成分および虚数部成分を示しており、同相またはＩ軸、直角位相またはＱ軸と呼ばれる。測定された信号の配置点と送信された信号の配置点との間のベクトルは誤差を表しており、この誤差にはデジタル対アナログ変換の不正確度、電力増幅器の非直線性、バンド内振幅リップル、送信機ＩＦＦＴ量子化誤差、などが含まれる。
【００３１】
送信機評価システムは、送信機の性能を評価するための１つ以上のメトリックを生成することができる。プロセッサによって生成されるメトリックには、変調誤差比（ＭＥＲ）、グループ遅延、またはチャネル周波数応答が含まれるが、これらに限定されない。具体的には、ＭＥＲは送信機内の欠陥の累積的影響を測定する。サブキャリアのＭＥＲは、サブキャリアの信号対雑音比（ＳＮＲ）と同等である。ＭＥＲは次式を使用して生成できる：
【数１】
2009510926.tif 000003
【００３２】
ここで、Ｉは測定された配置点の同相値であり、Ｑは測定された配置点の直交値であり、Ｎはサブキャリア数である。ΔＩは、送信された信号と測定された信号の同相値の間の差、ΔＱは、送信された信号と測定された信号の直交値間の差である。
【００３３】
図６ないし図１０、図１２、および図１３を参照すると、無線通信システムにおける送信機の性能を評価することに関連した方法が図示されている。説明を簡素化する目的で、方法を一連の動作として示され記述されているが、１つ以上の実施形態に従って、いくつかの動作は、異なった順序で、および／または本明細書で示し記述している他の動作と同時に行われるので、方法は動作の順序によって限定されないことが理解および認識されるべきである。例えば、当業者は、方法が、代替的に、状態図でのように、一連の相互に関連した状態またはイベントとして表され得ることを理解および認識するだろう。さらに、１つ以上の実施形態に従った方法を実施するために、図示された全ての動作を利用しなくてもよい。
【００３４】
次に図６を参照すると、送信機から受信したＲＦ信号データを処理し、送信機の性能を評価する方法６００が図示されている。典型的には、送信機はリアルタイムのスケジュールされたデータストリームをスーパーフレームにて放送する。スーパーフレームは、フレームのグループ（例えば、１６フレーム）を含むことができる。なお、フレームはデータの論理ユニットである。
【００３５】
６０２で、信号が送信機から受信またはサンプリングされる。受信信号は次式のように書くことができる：
Ｙｋ＝Ｈｋ・Ｐｋ＋Ｎｋ
ここで、Ｈｋはサブキャリアｋのチャネルである。既知の変調シンボルＰｋはサブキャリアｋ上で送信されることができる。σ２の分散およびゼロ平均を有する複素加法的白色ガウス雑音（ＡＷＧＮ）は、Ｎｋで表すことができる。
【００３６】
サブキャリアに対する可能な変調タイプは、直交位相シフトキーイング（ＱＰＳＫ）、エネルギー比が６．２５（ＥＲ６．２５）の層状ＱＰＳＫ、１６ＱＡＭ（直交振幅変調）、エネルギー比４．０（ＥＲ４）の層状ＱＰＳＫを含むことができるが、これらに限定されない。配置の観点に基づいて解析した場合、エネルギー比４．０の層状ＱＰＳＫは１６ＱＡＭのものと同一である。本明細書で使用されているように配置の観点とは、複素平面でデジタル変調方式を表す配置図の利用を意味する。変調シンボルは配置図上の配置点として表すことができる。
【００３７】
６０４で、サブキャリアに対する初期周波数領域チャネル推定が決定される。各サブキャリアに対する初期チャネル推定は、受信信号Ｙｋを既知のシンボルＰｋで割ることによって得ることができる。選択されたシンボルは送信され、これにより性能評価の目的のシンボルが分かる。スーパーフレーム内の全ＯＦＤＭシンボルｌの各サブキャリアｋに対する初期周波数領域チャネル推定は、次式で表すことができる：
【数２】
2009510926.tif 000004
【００３８】
ここで、Ｚｋ，ｌは、サブキャリアｋおよびＯＦＤＭシンボルｌに対する初期チャネル推定である。
【００３９】
６０６で、平均チャネル推定が決定される。サブキャリアのチャネル推定Ｚｋ，ｌは、スーパーフレーム全体で平均を取ることによって改善することができ、次式のとおりである：
【数３】
2009510926.tif 000005
【００４０】
ここで、ｋはＯＦＤＭシンボルのインデックス、Ｌはスーパーフレーム内のＯＦＤＭシンボルの数（例えば、１１８８個のシンボル）である。平均チャネル推定の分散は初期チャネル推定の分散よりも小さいため、メトリック生成中にサブキャリアのチャネル利得の近似値を求めるために、平均チャネル推定の分散を使用することができる。
【００４１】
６０８で、送信機の性能を評価するためのメトリックが生成される。例えば、サブキャリアｋに対するＭＥＲを生成することができる。送信シンボルが分かっていると仮定すると、雑音分散を次式のとおりに推定できる：
【数４】
2009510926.tif 000006
【００４２】
ここで、Ｘｋ，ｍは、サブキャリアｋに対する送信シンボルを表す。雑音Ｗｋの同相成分および直交成分は、およそ次のとおりに示すことができ、
【数５】
2009510926.tif 000007
【００４３】
ランダム変数Ｂｋが推定雑音分散である場合、次式のとおりである：
【数６】
2009510926.tif 000008
【００４４】
および、
【数７】
2009510926.tif 000009
【００４５】
ＭＥＲは、サブキャリアに対する平均チャネル推定、サブキャリア上で送信されたシンボル、およびサブキャリアに対する受信された信号に基づいて決定することができる。ＭＥＲは次の例示的な式に基づいて計算することができる：
【数８】
2009510926.tif 000010
【００４６】
ここで、
【数９】
2009510926.tif 000011
【００４７】
は、サブキャリアｋに対する平均チャネル推定、Ｐｋは、サブキャリア上で送信されたシンボル、Ｙｋは受信信号、ＮｋはＡＷＧＮである。さらに、ＭＥＲは全てのサブキャリアの平均を取ることで計算することができる。
【００４８】
送信機の性能を評価するために、追加のメトリックを生成することができる。例えば、メトリックは周波数応答とグループ遅延とを含むことができる。サブキャリアｋのグループ遅延は次のように計算することができる：
【数１０】
2009510926.tif 000012
【００４９】
ここで、ｋ＝１，．．．，４０００；Δφｋ，ｋ−１は、サブキャリアｋとｋ−１との間の位相差であり、Δｆｋ，ｋ−１は、サブキャリアｋとｋ−１との間の周波数差である。
【００５０】
次に図７を参照すると、送信シンボルが未知である送信機を評価する方法７００が図示されている。リアルタイムのデータストリームが送信される時には、変調シンボル（例えば、ＱＰＳＫシンボルまたは１６ＱＡＭシンボル）は未知である。しかし、パイロットシンボルは分かっている。７０２で、信号が受信される。７０４で、サブキャリアに対する粗い初期チャネル推定が生成される。以下の図８に関連して記述されるように、粗い初期チャネル推定は、既知のパイロットシンボルと、直線補間および外挿を使用して実行することができる。７０６で、サブキャリアに対する変調シンボルが決定される。変調シンボルは、図９および図１０に関連して以下で記述される配置図を使用してすることが決定できる。シンボルは、受信信号の配置点と、最も近いシンボル配置点に対応する変調シンボルとの間の距離に基づいて選択することができる。シンボルの選択については以下でより詳細に説明する。７０８で、各サブキャリアに対する初期周波数領域チャネル推定を決定することができる。各サブキャリアに対する初期チャネル推定は、受信信号を変調シンボルで割ることによって得ることができる。
【００５１】
７１０で、精度を高めるために、スーパーフレーム全体でチャネル推定の平均を取る。平均チャネル推定は、粗いチャネル推定、変調シンボルに基づくチャネル推定、またはチャネル推定の両者のセットを使用して決定することができる。７１２で、チャネル推定に少なくとも部分的に基づいて送信機を評価するメトリックを生成できる。例えば、既に詳細に記述したように、各サブキャリアに対するＭＥＲは、チャネル推定と変調シンボルとに基づいて決定できる。
【００５２】
次に図８を参照すると、粗いチャネル推定を生成する方法８００が図示されている。既に詳細に記述したように、受信信号は、チャネル推定、サブキャリアに対するシンボル、および雑音の項、ＡＷＧＮの関数として書くことができる。各ＯＦＤＭシンボルには、受信機に知られているパイロットシンボルを運ぶ所定数のサブキャリアが存在する（例えば、５００個のサブキャリアが、パイロットＱＰＳＫシンボルを運ぶ）。このため、このサブキャリアのサブセットに対する変調シンボルが分かっている。この結果、８０２で、パイロットサブキャリアに対するチャネル推定を計算することができる。８０４で、直線補間を使用することにより、２つのパイロットサブキャリアの間に位置しているサブキャリアに対するチャネル推定を得ることができる。８０６で、スーパーフレームの端部における、したがってパイロットサブキャリア間に位置してないサブキャリアに対するチャネル推定を、直線外挿を使用して得ることができる。
【００５３】
さらに、スーパーフレームのＯＦＤＭシンボルに対するパイロットシンボルの（２，６）パターンのスタガリングが存在するため、現在のＯＦＤＭシンボルの５００パイロットと前のＯＦＤＭシンボルの５００パイロットとを使用して、周波数領域チャネル推定を得ることができる。このような場合に、パイロットサブキャリアのチャネル推定はパイロットシンボルを使用して生成され、サブキャリアの残りのチャネル推定は直線補間または外挿によって得られる。
【００５４】
次に図９を参照すると、変調シンボルを決定する方法９００が図示されている。９０２で、受信信号の配置点と可能な変調シンボルの配置点との間の距離を計算する。例えば、受信信号配置点とこの信号配置点に最も近いＱＰＳＫ配置点との間の距離、並びに、信号配置点とこの信号配置点に最も近い１６ＱＡＭ配置点との間の距離を計算することができる。９０４で、信号配置点に最も近い変調シンボル配置点が変調シンボルとして選択される。変調シンボルを選択する上での精度を高めるために、変調シンボルを、一致した変調タイプを有するサブキャリアのサブセットに対する変調タイプと比較することができる。本明細書では、一致した変調タイプを有するサブキャリアのサブセットの一例としてハーフインタレース（ｈａｌｆ−ｉｎｔｅｒｌａｃｅ）が使用される。しかし、本明細書で述べるシステムおよび方法において、一致した変調タイプを有するサブキャリアのサブセットは、ハーフインタレースに限定されない。サブキャリアに対する変調シンボルを、サブキャリアのサブセットに対する変調タイプに照らし合わせることによって、変調シンボル選択におけるエラーを回避できる。９０６で、サブキャリアのサブセットに対する変調タイプが決定される。９０８で、変調シンボルが変調タイプと一致するかどうかが決定される。一致する場合には、処理は終了する。一致しない場合は、９１０で変調シンボルが再評価され、変調タイプと一致する変調シンボルが選択される。
【００５５】
通常、変調タイプはハーフインタレース中に一致を保つ。一般には、ＦＬＯプロトコルの制約のために、変調タイプはインタレース内で変化しない。本明細書で使用されているようにインタレースは、サブキャリアのセット（例えば、５００個のサブキャリア）である。したがって、ハーフインタレースは、インタレースの２分の１（例えば、２５０個のサブキャリア）である。しかし、レート２／３の層状変調では、ベース層のみのモードでの動作中に、インタレース内で変調タイプをＱＰＳＫに切り替えることができる。これらの条件下でさえも、各ハーフインタレース内の変調タイプは一定を保つ。このため、多数決を使用して、各ハーフインタレースに対する変調タイプを決定することができる。ハーフインタレースに対する変調タイプ、または一致した変調タイプを有するサブキャリアの任意の他のサブセットを決定するために、サブセット内の各サブキャリアに対する変調シンボル、したがって変調タイプが決定される。各サブキャリアに対応する変調タイプに基づく多数決を使用して、サブセットに対する変調タイプを決定できる。例えば、２５０個のサブキャリアを含むハーフインタレースにおいて、これらサブキャリアの１９８個に対する変調タイプはＱＰＳＫ変調タイプと一致し、残りの５２個のサブキャリアに対する変調シンボルは１６ＱＡＭ変調タイプと一致することがある。サブキャリアの大多数がＱＰＳＫとして検出されるため、ＱＰＳＫが、ハーフインタレースの変調タイプとして選択される。１６ＱＡＭ変調タイプに関連した５２個のサブキャリアを、配置図内におけるこれらの位置に基づいて再評価し、ＱＰＳＫ変調シンボルに再割り当てすることができる。ハーフインタレースにおいて変調シンボルを変調タイプと比較し、変調シンボルを必要に応じて再評価することで、変調シンボル選択の精度が高まる。
【００５６】
次に図１０ないし図１１を参照すると、変調シンボルを決定する方法１０００が図１０に図示されている。１００２で、様々な変調シンボルを表す配置点を含んだ配置図が一連の領域に分割される。各領域は、変調シンボル配置点に関連付けられている。各領域内のすべての点が、このような点からその領域の配置点までの距離が、このような点から任意の他の領域の配置点までの距離よりも短いまたは等しいという特性を有するように、領域は定義される。配置図の第１象限をカバーしている領域のセットが、図１１に図示されている。１００４で、受信信号の配置点が位置している領域が決定される。受信信号の配置点が位置している領域に対応する変調シンボルが、変調シンボルとして選択される。変調シンボルを、一致した変調タイプを有するサブキャリアのサブセット（例えば、ハーフインタレース）に対する変調タイプと照らし合わせることができる。１００６で、サブキャリアのサブセットに対する変調タイプを決定することができる。１００８で、変調シンボルが変調タイプと一致しているかどうかが決定される。一致している場合には、処理は終了する。一致していない場合は、１０１０で、変調シンボルを再評価し、変調タイプと一致した変調シンボルが選択される。
【００５７】
本明細書に記述されている送信機評価システムおよび方法は、時間周波数オフセットによって生じたエラーまたは歪みを低減または排除することを目的として、位相補正をさらに含むべきである。位相補正が実行されない場合には、チャネル推定平均が不正確となり、その結果、評価メトリックが正しくなくなることがある。典型的には、チャネル推定の平均を取る前に位相補正を実行し、周波数オフセットによる位相ランプを補正することができる。
【００５８】
次に図１２を参照すると、位相補正を使用して送信機を評価する方法１２００が図示されている。１２０２で、送信機から信号を受信する。１２０４で、サブキャリアに対するチャネル推定を決定することができる。チャネル推定は、図６に示されているように既知のシンボルを使用して、あるいは図７に示されているように未知のシンボルを使用して決定することができる。１２０６で、位相補正を実行することができる。位相補正の後、１２０８で平均チャネル推定を決定することができる。１２１０で、送信機の性能を評価するためのメトリックを生成することができる。例えば、サブキャリアに対するＭＥＲはチャネル推定に基づいて決定できる。
【００５９】
次に図１３を参照すると、周波数オフセットを補正する方法１３００が図示されている。周波数オフセットを含む受信信号は次式のように書くことができる：
【数１１】
2009510926.tif 000013
【００６０】
ここで、Ｒｎはｎ番目のサブキャリアの複素振幅、Ｎはサブキャリアの総数である。初期サブキャリアの周波数は、サブキャリア空間を表すω０、ωｓによって表され、Δωは周波数オフセットである。一定の周波数オフセットによって、時間と共に直線状に位相変化することになる。時間と共に直線的に変化する周波数オフセットによって、時間と共に放物線状に位相変化することになる。一定の周波数オフセットまたは直線的に変化する周波数オフセットによって、予測可能な位相変化が得られ、図１２に示すように平均を取る前に補正することができる。
【００６１】
直線状の位相変化は、位相変化の傾きを計算することにより１次位相補正アルゴリズムを使用して補正されることができる。例えば、位相変化は次式のように計算できる：
【数１２】
2009510926.tif 000014
【００６２】
ここで、Δφｋ＋１＝φｋ＋１−φｋは、２つの隣接したＯＦＤＭシンボル間のチャネル推定の位相変化であり、φ０は初期チャネル推定の位相であり、ＬはＯＦＤＭシンボルの数であり、ＴＯＦＤＭは期間である。
【００６３】
放物線状の位相変化は、放物線関数のパラメータａ、ｂ、およびｃを決定するためのＬＳアルゴリズムを用いた２次位相補正を使用して補正されることができる。推定位相は次式のように書くことができる：
【数１３】
2009510926.tif 000015
【００６４】
ここで、ｔは時間である。推定位相を使用して、平均を取る前に、推定チャネルを補正することができる。
【００６５】
しかし、周波数オフセットは必ずしも一定または直線的に変化するとは限らない。したがって、位相変化は必ずしも直線状または放物線状ではなく、予測可能ではない。可変周波数オフセットを補正するための１つの可能な解決案は、持続時間をセグメントに分け、次に各セグメントについて位相変化を推定することを含む。結果として、図６に関連して記述されたＭＥＲｋの方程式中の推定雑音分散Ｂｋを次式のとおり変更されるべきである：
【数１４】
2009510926.tif 000016
【００６６】
ここで、Ｎはセグメントの数である。
【００６７】
受信信号から得られた各ＯＦＤＭシンボルの各チャネルに対する雑音項を２つの直交する次元、すなわち振幅次元と位相次元とに分解することができる。振幅次元における雑音項は加法的白色ガウス雑音と考えることができる。位相方向における雑音項は、加法的白色ガウス雑音（ＡＷＧＮ）と、周波数オフセットから生じる歪みとの和として考えることができる。周波数オフセットにより生じた歪みは、排除しなければならない。しかし、位相次元におけるＡＷＧＮの成分は維持されるべきである。
【００６８】
図１３に図示した方法１３００に示されているように、１３０２で、時間を分割したセグメント数が決定される。１３０４で、周波数オフセットによる位相変化がセグメント毎に推定される。１３０６で、セグメントは１次または２次補正アルゴリズムのいずれかを使用して補正される。１３０８で、補正すべき追加のセグメントがあるかどうかが決定される。ある場合には、処理は１３０４に戻り、次のセグメントの位相補正を決定する。ない場合には、処理は終了する。
【００６９】
１つの極端な場合では、振幅次元における雑音の分散が、位相次元における雑音の分散と等しいとき、セグメントの最大数は、処理されるＯＦＤＭシンボルの数と等しい。したがって、位相次元における雑音は、周波数オフセットによる歪みと同様に排除される。この結果、位相次元における雑音を含むＭＥＲの真の値は、定数を減算した生成されたＭＥＲ値と等しくなる（例えば、３．０１ｄＢ）。
【００７０】
本明細書に記述されている１つ以上の実施形態によれば、送信フォーマット、周波数、などに関して推論を作成できることが理解される。本明細書で使用されているように、用語「推論する」、「推論」とは、一般的に、イベントおよび／またはデータを介して得られた１組の観察からシステム状態、環境状態、および／またはユーザ状態を推理または推論するプロセスを意味する。推論は、具体的な状況または動作を識別するために採用でき、例えば状態の確率分布を生成することができる。推論は確率的であり、すなわち、データおよびイベントの考慮に基づく関心のある状態の確率分布の計算であり得る。推論は、イベントおよび／またはデータのセットからより高レベルのイベントを構成するために採用される技術も指すことができる。このような推論により、観察されたイベントおよび／または格納されたイベントデータのセットから、イベントが一時的な近似にて相関しているか、イベントおよびデータが１またはいくつかのイベントおよびデータ源からきているかに関わらず、新しいイベントまたは動作が構成される。
【００７１】
一例によれば、上述で提示された１つ以上の方法は、位相補正に利用するためのセグメントの数に関する推論を含むことができる。加えて、ユーザに表示するデータおよびフォーマットに関して推論することができる。
【００７２】
次に図１４を参照すると、本明細書に提示された１つ以上の態様に従う無線通信環境における送信機の性能を評価するシステム１４００が図示されている。システム１４００は、サブキャリアに対する周波数領域チャネル推定を生成するチャネル推定生成器１４０２、サブキャリアに対する平均チャネル推定を計算する平均生成器１４０４、および送信機の性能を評価するために使用されるＭＥＲのようなメトリックを生成するメトリック生成器１４０６を含んでいる。システム１４００は、周波数オフセットによって生じた位相ランプを補正する位相補正器１４０８をさらに含むことができる。位相補正のために信号セグメント化装置１４１０によって信号をセグメントに分けることができる。さらに、システム１４００は、サブキャリアに対する変調シンボルを決定するシンボル決定器１４１２を含むことができる。このシンボルは、距離決定器１４１６によって決定された複素平面における受信信号と変調シンボルとの間の距離に基づいて、シンボル選択器１４１４によって選択することができる。あるいは、複素平面は、複素平面分割器１４１８によって領域に分割されることができ、受信信号が位置している領域を領域選択器１４２０によって選択し、これを使用してシンボルを決定することができる。さらに、システム１４００は、粗いチャネル推定を生成する粗いチャネル生成器１４２２を含むことができる。補間器および外挿器１４２４は、粗いチャネル推定を生成するのに使用することができる。
【００７３】
図１５は、通信環境において送信機の性能を監視するシステム１５００の図である。システム１５００は、１つ以上のユーザデバイス１５０４から１つ以上の受信アンテナ１５０６を介して信号を受信する受信機１５１０と、１つ以上の送信アンテナ１５０８を介して１つ以上のユーザデバイス１５０４へ送信する送信機１５２０とを設けた基地局１５０２を備えている。１つ以上の実施形態では、１組のアンテナを使用して、受信アンテナ１５０６および送信アンテナ１５０８を実装することができる。受信機１５１０は、受信アンテナ１５０６から情報を受信することができ、受信情報を復調する復調器１５１２に動作的に関連付けられている。当業者によって理解されるように、受信機１５１０は、例えば、レーキ受信機（例えば、複数のベースバンドの相関器を使用して、マルチパス信号成分を独立的に処理する技術）、ＭＭＳＥベースの受信機、または、割り当てられたユーザデバイスを分離するためのいくつかの他の適切な受信機であってもよい。様々な態様によれば、複数の受信機（例えば、受信アンテナ１本につき１つ）を採用することができ、このような受信機は相互に通信して、ユーザデータの改善された推定を与える。復調されたシンボルは、プロセッサ１５１４によって解析される。プロセッサ１５１４は、受信機構成要素１５１０によって受信された情報を解析し、および／または送信機１５２０によって送信される情報を生成するための専用プロセッサであってもよい。プロセッサ１５１４は、基地局１５０２の１つ以上の構成要素を制御するプロセッサ、および／または、受信機１５１０が受信した情報を解析し、送信機１５２０によって送信される情報を生成し、基地局１５０２の１つ以上の構成要素を制御するプロセッサであってもよい。各アンテナへの受信機の出力は、受信機１５１０および／またはプロセッサ１５１４によって一緒に処理されてもよい。変調器１５１８は、送信機１５２０が送信アンテナ１５０８を介してユーザデバイス１５０４へ送信する信号を多重化することができる。プロセッサ１５１４は、１つ以上のそれぞれのユーザデバイス１５０４に関連したＦＬＯ情報の処理を促進できるＦＬＯチャネル構成要素１５２２に連結できる。
【００７４】
基地局１５０２はまた、送信機モニタ１５２４を含むことができる。送信機モニタ１５２４は、送信機の出力および／または送信機アンテナの出力をサンプリングして、送信機１５２０の性能を評価することができる。送信機モニタ１５２４はプロセッサ１５１４に連結できる。あるいは、送信機モニタ１５２４は、送信機の出力を処理するための別個のプロセッサを含んでもよい。さらに、送信機モニタ１５２４は基地局１５０２から独立していてもよい。
【００７５】
基地局１５０２は、メモリ１５１６をさらに備えることができ、メモリ１５１６は、プロセッサ１５１４に動作的に連結され、配置領域に関する情報、および／または、本明細書で述べている様々な動作および機能を実行することに関する任意の他の適切な情報を格納できる。本明細書で述べているデータ格納（例えば、メモリ）構成要素は揮発性メモリまたは不揮発性メモリのいずれであってもよく、あるいは、揮発性と不揮発性の両方のメモリを含んでいてもよい。限定的にではなく、例として、不揮発性メモリは読み出し専用メモリ（ＲＯＭ）、プログラム可能なＲＯＭ（ＰＲＯＭ）、電気的にプログラム可能なＲＯＭ（ＥＰＲＯＭ）、電気的に消去可能なＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定的にではなく、例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、同期リンクＤＲＡＭ（ＳＬＤＲＡＭ）、直接ラムバスＲＡＭ（ＤＲＲＡＭ）といった多くの形式において利用可能である。本システムおよび方法のメモリ１５１６は、これらおよび任意の他の適切なタイプのメモリを含むことを意図するが、これらに限定されない。
【００７６】
図１６は、例示的な無線通信システム１６００を示す。無線通信システム１６００は、簡潔にするために、１つの基地局と１つのユーザデバイスとを示している。しかし、このシステムは２つ以上の基地局および／または２つ以上のユーザデバイスを含むことができ、この場合、追加の基地局および／またはユーザデバイスは、以下に記述されている例示的な基地局およびユーザデバイスと実質的に類似していても、異なっていてもよいことが理解されるべきである。さらに、基地局および／またはユーザデバイスは、本明細書に記述されているシステム（図１、図３、図４、図１４、および図１５）および／または方法（図６ないし図１０、図１２、および図１３）を採用できることが理解されるべきである。
【００７７】
次に図１６を参照すると、ダウンリンク上では、アクセスポイント１６０５において、送信（ＴＸ）データプロセッサ１６１０がトラフィックデータを受信、フォーマット、符号化、インターリーブ、および変調（またはシンボルマッピング）して、変調シンボル（「データシンボル」）を提供する。シンボル変調器１６１５は、データシンボルとパイロットシンボルとを受信および処理し、シンボルのストリームを提供する。シンボル変調器１６１５は、データおよびパイロットシンボルを多重化し、これらを送信機ユニット（ＴＭＴＲ）１６２０に提供する。各送信シンボルは、データシンボル、パイロットシンボル、またはゼロの信号値であってもよい。パイロットシンボルは、各シンボル期間において連続的に送ることができる。パイロットシンボルは、周波数分割多重化（ＦＤＭ）、直交周波数分割多重化（ＯＦＤＭ）、時分割多重化（ＴＤＭ）、周波数分割多重化（ＦＤＭ）、または符号分割多重化（ＣＤＭ）され得る。
【００７８】
ＴＭＴＲ１６２０はシンボルのストリームを受信して、１つ以上のアナログ信号に変換し、アナログ信号をさらに調整し（例えば、増幅、フィルタリング、および周波数アップコンバート）、無線チャネル上での送信に適したダウンリンク信号を生成する。次に、ダウンリンク信号は、アンテナ１６２５を介してユーザデバイスへ送信される。ユーザデバイス１６３０では、アンテナ１６３５がダウンリンク信号を受信し、受信信号を受信機ユニット（ＲＣＶＲ）１６４０に提供する。受信機ユニット１６４０は、受信信号を調整し（例えば、フィルタリング、増幅、および周波数ダウンコンバート）、この調整された信号をデジタル化してサンプルを得る。シンボル復調器１６４５は、受信したパイロットシンボルを復調し、チャネル推定のためにプロセッサ１６５０に提供する。シンボル復調器１６４５はさらに、ダウンリンクのための周波数応答推定をプロセッサ１６５０から受信し、受信したデータシンボルにデータ復調を実行してシンボル推定（送信されたデータシンボルの推定）を取得し、データシンボル推定をＲＸデータプロセッサ１６５５に提供する。ＲＸデータプロセッサ１６５５は、データシンボル推定を復調し（即ち、シンボルデマッピング）、デインターリーブし、復号して、送信されたトラフィックデータを回復する。シンボル復調器１６４５およびＲＸデータプロセッサ１６５５による処理は、それぞれ、アクセスポイント１６０５におけるシンボル変調器１６１５およびＴＸデータプロセッサ１６１０による処理と相補的である。
【００７９】
アップリンク上で、ＴＸデータプロセッサ１６６０がトラフィックデータを処理し、データシンボルを提供する。シンボル変調器１６６５はデータシンボルを受信して、パイロットシンボルと多重化し、変調を実行し、シンボルのストリームを提供する。次に、送信機ユニット１６７０はシンボルのストリームを受信および処理し、アップリンク信号を生成し、この信号がアンテナ１６３５によってアクセスポイント１６０５へ送信される。
【００８０】
アクセスポイント１６０５では、ユーザデバイス１６３０からのアップリンク信号がアンテナ１６２５によって受信され、受信機ユニット１６７５によって処理されてサンプルが取得される。次に、シンボル復調器１６８０がサンプルを処理し、受信したパイロットシンボルとアップリンクのデータシンボル推定とを提供する。ＲＸデータプロセッサ１６８５はデータシンボル推定を処理し、ユーザデバイス１６３０が送信したトラフィックデータを復元する。プロセッサ１６９０は、アップリンク上で送信する各アクティブユーザデバイスに対してチャネル推定を実行する。複数のユーザデバイスが、アップリンク上で、パイロットサブキャリアのそれぞれの割り当てられたセットにおいてパイロットを同時に送信でき、ここでパイロットサブキャリアのセットはインタレースされていてもよい。
【００８１】
プロセッサ１６９０および１６５０は、それぞれ、アクセスポイント１６０５およびユーザデバイス１６３０において動作を指示する（例えば、制御、調整、管理、など）。それぞれのプロセッサ１６９０および１６５０は、プログラムコードおよびデータを格納するメモリユニット（図示せず）に関連付けることができる。プロセッサ１６９０および１６５０は、本明細書に記述された方法のいずれかを利用できる。それぞれのプロセッサ１６９０および１６５０は、それぞれ、アップリンクおよびダウンリンクに対する周波数およびインパルス応答推定を導出する計算を実行することもできる。
【００８２】
ソフトウェアの実施について、本明細書に記述されている技術は、本明細書に記述されている機能を実行するモジュール（例えば、手続き、機能、など）を用いて実施できる。ソフトウェアコードをメモリユニットに格納し、プロセッサによって実行することができる。メモリユニットは、プロセッサ内またはプロセッサの外部において実装でき、この場合には、当分野で既知の様々な手段を介してプロセッサに通信的に連結されることができる。
【００８３】
これまでの記述は、１つ以上の実施形態の例を含む。無論、上述の実施形態を記述する目的で、構成要素または方法の考えられる全ての組み合わせについて記述することはできないが、当業者は、様々な実施形態の多数のさらなる組み合わせおよび並べ替えが可能であることを認識することができる。したがって、記述された実施形態は、本発明の請求項の精神および範囲の中に含まれる全てのこのような変更、修正、バリエーションを含むことが意図されている。さらに、詳細な説明または請求項のいずれかにおいて用語「含む」（ｉｎｃｌｕｄｅ）が使用される限りでは、こうした用語は、「備える」（ｃｏｍｐｒｉｓｉｎｇ）が請求項において移行語（ｔｒａｎｓｉｔｏｎａｌ  ｗｏｒｄ）として使用されているときに解釈されるように、用語「備える」（ｃｏｍｐｒｉｓｉｎｇ）と同様に包括的であることを意図する。
【図面の簡単な説明】
【００８４】
【図１】本明細書に提示された１つ以上の態様に従った送信機評価システムの図。
【図２】本明細書に提示された１つ以上の態様に従った無線通信システムの図。
【図３】本明細書に提示された１つ以上の態様に従った無線通信システムの図。
【図４】本明細書に提示された１つ以上の態様に従った送信機評価システムの図。
【図５】測定信号と送信信号との差を示した配置図。
【図６】本明細書に提示された１つ以上の態様に従った送信機を評価する方法を示すフローチャート。
【図７】本明細書に提示された１つ以上の態様に従った送信機を評価する方法を示すフローチャート。
【図８】本明細書に提示された１つ以上の態様に従った粗いチャネル推定を生成する方法を示すフローチャート。
【図９】本明細書に提示された１つ以上の態様に従った変調シンボルを決定する方法を示すフローチャート。
【図１０】本明細書に提示された１つ以上の態様に従った変調シンボルを決定する方法を示すフローチャート。
【図１１】本明細書に提示された１つ以上の態様に従った配置図の領域への分割を示す図。
【図１２】本明細書に提示された１つ以上の態様に従った位相補正を使用して送信機を評価する方法を示すフローチャート。
【図１３】本明細書に提示された１つ以上の態様に従った位相補正を実行する方法を示すフローチャート。
【図１４】本明細書に提示された様々な態様に従った無線通信環境において送信機の性能を評価するシステムの図。
【図１５】本明細書に提示された様々な態様に従った無線通信環境において送信機の性能を監視するシステムの図。
【図１６】本明細書に記述された様々なシステムおよび方法に関連して使用することができる無線通信環境の図。
【図１】
2009510926.tif 000017
【図２】
2009510926.tif 000018
【図３】
2009510926.tif 000019
【図４】
2009510926.tif 000020
【図５】
2009510926.tif 000021
【図６】
2009510926.tif 000022
【図７】
2009510926.tif 000023
【図８】
2009510926.tif 000024
【図９】
2009510926.tif 000025
【図１０】
2009510926.tif 000026
【図１１】
2009510926.tif 000027
【図１２】
2009510926.tif 000028
【図１３】
2009510926.tif 000029
【図１４】
2009510926.tif 000030
【図１５】
2009510926.tif 000031
【図１６】
2009510926.tif 000032
【国際調査報告】
2009510926.tif 000033
2009510926.tif 000034
2009510926.tif 000035